(57)【特許請求の範囲】
【請求項１】
複数のスイッチがマトリクス状に配置されたキーマトリクス回路と、複数の端子とコモン端子を備え、前記複数の端子とコモン端子との接続状態に応じてコード信号を出力するロータリーディップスイッチと、前記キーマトリクス回路の行ラインと前記ロータリーディップスイッチの複数の端子との間にそれぞれ設けられるダイオードと、前記キーマトリクス回路の列ライン及び前記ロータリーディップスイッチのコモン端子に順次異なるタイミングで走査信号を与え、前記キーマトリクス回路の行ラインに生じる信号を取り込む制御部とを具備してなるロータリーディップスイッチを用いた入力装置であって、
前記制御部は、前記キーマトリクス回路及びロータリーディップスイッチに与える走査信号のタイミング及び前記キーマトリクス回路の行ラインに生じる信号によって前記キーマトリクス回路の操作内容及びロータリーディップスイッチの設定内容を判別する判別手段と、当該ロータリーディップスイッチを用いた入力装置を携帯無線機に適用した場合に、前記携帯無線機で選択された受信周波数に応じて前記走査信号の周波数を可変設定する周波数設定手段とを備えたことを特徴とするロータリーディップスイッチを用いた入力装置。
【発明の詳細な説明】
【技術分野】
【０００１】
本発明は、例えば業務用無線端末機等に利用されるロータリーディップスイッチを用いた入力装置に関する。
【背景技術】
【０００２】
従来、例えば携帯無線機等の業務用無線端末機においては、通信チャネル選択用スイッチとしてロータリーディップスイッチ（回転型スイッチ）が一般的に用いられている（例えば、特許文献１参照。）。ロータリーディップスイッチは、回転角度毎に固定位置が設けられており、スイッチの状態が目視困難な場合でも、回転させたときの固定位置状態をカウントすることにより、通信チャネルの選択状態を使用者が把握できるという利点がある。上記ロータリーディップスイッチは、例えば図４に示すようなコード体系をとっており、複数のコード端子例えば端子Ａ、Ｅ、Ｂ、Ｄとコモン端子Ｃを備え、操作軸を回すと機械的な固定位置状態が例えば０〜１５まで変化し、１６の通信チャネルを選択することができる。これらの各通信チャネルは、受送信周波数が異なる値に設定されている。
【０００３】
上記端子Ａ、Ｅ、Ｂ、Ｄと１６チャネルの各位置状態との関係は、図４に示すように設定されており、例えば位置状態が「２」であった場合、端子Ａと端子Ｅがスイッチ内部でコモン端子Ｃと導通し、端子Ｂと端子Ｄはコモン端子Ｃに対して開放となる。なお、図４において、黒丸は端子Ａ、Ｅ、Ｂ、Ｄがコモン端子Ｃと導通状態にあることを示している。
【０００４】
次に、上記ロータリーディップスイッチにおける従来のデータ取込方式について説明する。図５は、業務用無線端末機等に用いられる従来の入力装置の回路構成図である。
【０００５】
図５において、１０は通信チャネルを選択するためのロータリーディップスイッチ入力回路部、２０はキー入力を行うキーマトリクス回路部、１１は上記ロータリーディップスイッチ入力回路部１０及びキーマトリクス回路部２０に共通の制御ＩＣである。
【０００６】
ロータリーディップスイッチ入力回路部１０は、制御ＩＣ１１の汎用ポートである入力端子Ｉ／Ｏ１〜Ｉ／Ｏ４がノイズ対策回路１２を介してロータリーディップスイッチ１３の端子Ａ、Ｅ、Ｂ、Ｄにそれぞれ接続される。そして、上記ノイズ対策回路１２とロータリーディップスイッチ１３の端子Ａ、Ｅ、Ｂ、Ｄとの各接続ラインは、抵抗Ｒを介して電源電圧ＶＤＤにプルアップされる。また、ロータリーディップスイッチ１３のコモン端子Ｃは、接地（ＧＮＤ）されてロー（Low）レベルの状態に保持される。
【０００７】
上記のように構成されたロータリーディップスイッチ入力回路部１０は、ロータリーディップスイッチ１３の端子Ａ、Ｅ、Ｂ、Ｄとコモン端子Ｃとの接続状態に応じて各端子Ａ、Ｅ、Ｂ、Ｄがハイ（High）レベルあるいはロー（Low）レベルの状態となり、この状態が制御ＩＣ１１の入力情報となる。例えばロータリーディップスイッチ１３が図４に示したコード体系の状態「２」であった場合、端子Ａと端子Ｅがスイッチ内部でコモン端子Ｃと導通してロー（Low）レベルの状態となり、端子Ｂ、Ｄは電源電圧ＶＤＤにプルアップされているのでハイ（High）レベルの状態となる。上記端子Ａ、Ｅ、Ｂ、Ｄのロー（Low）レベルあるいはハイ（High）レベルの状態を制御ＩＣ１１の入力情報として判断し制御することにより、ロータリーディップスイッチ１３の固定位置状態を把握してチャネル選択を行う。
【０００８】
また、上記キーマトリクス回路部２０は、例えばプッシュスイッチＳ１〜Ｓ２０を５行４列のマトリクス状に配置したキーマトリクス回路２１を備えている。上記キーマトリクス回路２１の行ラインは、ノイズ対策回路２２を介して制御ＩＣ１１の入力端子Ｒ１〜Ｒ５に接続されると共にそれぞれ抵抗Ｒを介して電源電圧ＶＤＤにプルアップされる。また、キーマトリクス回路２１の列ラインは、ノイズ対策回路２２を介して制御ＩＣ１１のオープンドレイン出力端子Ｃ１〜Ｃ４に接続される。
【０００９】
上記制御ＩＣ１１のオープンドレイン出力端子Ｃ１〜Ｃ４は、図６のタイミングチャートに示すようにｔ１、ｔ２、ｔ３、ｔ４のタイミングでインピーダンスがパルス的に変化し、ｔ１、ｔ２、ｔ３、ｔ４のタイミングでロー（Low）状態、その他のタイミングでハイ（High）状態となる。すなわち、制御ＩＣ１１は、キーマトリクス回路２１に対するソフト制御部を走査型方式としてデータ入力を取り込んでいる。
【００１０】
上記キーマトリクス回路部２０は、プッシュスイッチＳ１〜Ｓ２０が押されると、ｔ１〜ｔ４のタイミングで行ラインの信号がロー（Low）レベルの状態に変化し、その状態が入力情報として制御ＩＣ１１の入力端子Ｒ１〜Ｒ５に入力される。制御ＩＣ１１は、オープンドレイン出力端子Ｃ１〜Ｃ４のインピーダンスがロー（Low）レベルの状態に変化するタイミングｔ１、ｔ２、ｔ３、ｔ４と入力端子Ｒ１〜Ｒ５の入力情報からキーマトリクス回路部２０におけるどのプッシュスイッチＳ１〜Ｓ２０が押されたのかを判断する。例えばプッシュスイッチＳ２を操作した場合、制御ＩＣ１１の入力端子Ｒ１に接続されている行ラインがｔ３のタイミングでロー（Low）レベルの状態となるので、制御ＩＣ１１は入力端子Ｒ１の行ラインとオープンドレイン出力端子Ｃ３の列ラインとの交点にあるプッシュスイッチＳ２が押されたものと判断することができる。
【特許文献１】特開２００６−２５０５６６号公報
【発明の開示】
【発明が解決しようとする課題】
【００１１】
上記従来の入力装置によれば、制御ＩＣ１１は、入力端子Ｉ／Ｏ１〜Ｉ／Ｏ４の入力情報からロータリーディップスイッチ１３の固定位置状態を把握してチャネル選択を行うことができ、また、入力端子Ｒ１〜Ｒ５の入力情報及びオープンドレイン出力端子Ｃ１〜Ｃ４から出力される走査信号のタイミングからどのプッシュスイッチＳ１〜Ｓ２０が押されたかを判断することができる。
【００１２】
しかし、制御ＩＣ１１の汎用Ｉ／Ｏポートには限りがあるため、使用するポート数はできるだけ少なくする必要がある。また、ロータリーディップスイッチ１３やキーマトリクス回路２１などの外部入力回路はシールドができないため、ノイズ対策回路１２、２２を各配線毎に設置しなければならない。この結果、基板上の配線制約を受けるのみならず、実装面積の増大や部品点数の増加などにつながるという問題があった。
【００１３】
本発明は上記の課題を解決するためになされたもので、制御ＩＣ１１のＩ／Ｏポートを有効に利用できると共にノイズ対策回路の設置数を減少でき、基板上の実装面積を減少できるロータリーディップスイッチを用いた入力装置を提供することを目的とする。
【課題を解決するための手段】
【００１４】
本発明は、複数のスイッチがマトリクス状に配置されたキーマトリクス回路と、複数の端子とコモン端子を備え、前記複数の端子とコモン端子との接続状態に応じてコード信号を出力するロータリーディップスイッチと、前記キーマトリクス回路の行ラインと前記ロータリーディップスイッチの複数の端子との間にそれぞれ設けられるダイオードと、前記キーマトリクス回路の列ライン及び前記ロータリーディップスイッチのコモン端子に順次異なるタイミングで走査信号を与え、前記キーマトリクス回路の行ラインに生じる信号を取り込む制御部とを具備してなるロータリーディップスイッチを用いた入力装置であって、
前記制御部は、前記キーマトリクス回路及びロータリーディップスイッチに与える走査信号のタイミング及び前記キーマトリクス回路の行ラインに生じる信号によって前記キーマトリクス回路の操作内容及びロータリーディップスイッチの設定内容を判別する判別手段と、当該ロータリーディップスイッチを用いた入力装置を携帯無線機に適用した場合に、前記携帯無線機で選択された受信周波数に応じて前記走査信号の周波数を可変設定する周波数設定手段とを備えたことを特徴とする。
【発明の効果】
【００１５】
本発明によれば、キーマトリクス回路部にロータリーディップスイッチを組み込むことにより、制御部にロータリーディップスイッチのデータを取り込むための専用の入力端子を設けることなく、キーマトリクスデータ取り込み用の入力端子を利用してロータリーディップスイッチのデータを制御部に取り込むことができ、入力端子数を少なくして回路構成を簡易化でき、基板上の実装面積を減少することができる。
【発明を実施するための最良の形態】
【００１６】
以下、図面を参照して本発明の一実施形態を説明する。
【００１７】
図１は本発明の一実施形態に係るロータリーディップスイッチを用いた入力装置の回路構成図である。図１において、３１はキーマトリクス回路で、例えばプッシュスイッチＳ１〜Ｓ２０を５行４列のマトリクス状に配置している。上記キーマトリクス回路３１の行ラインＨ１〜Ｈ５は、ノイズ対策回路３２を介して制御部例えば制御ＩＣ３３の入力端子Ｒ１〜Ｒ５に接続されると共にそれぞれ抵抗Ｒを介して電源電圧ＶＤＤにプルアップされる。上記ノイズ対策回路３２としては、例えばチョークコイルＬとコンデンサＣとを組み合わせて構成したローパスフィルタが用いられる。
【００１８】
また、上記キーマトリクス回路３１は、行ラインＨ１〜Ｈ５のうち、行ラインＨ１〜Ｈ４がダイオードＤ１〜Ｄ４を順方向に介してロータリーディップスイッチ３４の端子Ａ、Ｅ、Ｂ、Ｄに接続される。上記ダイオードＤ１〜Ｄ４は、キーマトリクス回路３１における行ラインＨ１〜Ｈ５のレベル変化が相互に影響しないように設けたもので、その詳細については後述する。上記ロータリーディップスイッチ３４は、従来のロータリーディップスイッチと同様に例えば４つの端子Ａ、Ｅ、Ｂ、Ｄとコモン端子Ｃからなり、例えば図４に示したコード体系を有し、１６の通信チャネルを選択することができる。
【００１９】
また、キーマトリクス回路３１の列ラインＶ１〜Ｖ４は、ノイズ対策回路３２を介して制御ＩＣ３３のオープンドレイン出力端子Ｃ１〜Ｃ４に接続される。上記制御ＩＣ３３は、上記オープンドレイン出力端子Ｃ１〜Ｃ４の他にもう１つのオープンドレイン出力端子Ｃ５を備えており、このオープンドレイン出力端子Ｃ５を信号ライン３５により上記ロータリーディップスイッチ３４のコモン端子Ｃに接続している。
【００２０】
上記制御ＩＣ３３は、上記キーマトリクス回路３１に対する走査型方式のソフト制御部及びロータリーディップスイッチ３４に対する走査型方式のソフト制御部を備えている。上記制御ＩＣ３３におけるキーマトリクス回路３１に対する走査型方式のソフト制御部は、オープンドレイン出力端子Ｃ１〜Ｃ５から走査信号を出力し、図２（ａ）に示すようにオープンドレイン出力端子Ｃ１〜Ｃ５のインピーダンスをｔ１、ｔ２、ｔ３、ｔ４、ｔ５のタイミングでロー（Low）状態、その他のタイミングでハイ（High）状態となるようにパルス的に変化させ、オープンドレイン出力端子Ｃ１〜Ｃ４の走査タイミングｔ１、ｔ２、ｔ３、ｔ４及び入力端子Ｒ１〜Ｒ５の入力情報からキーマトリクス回路３１の操作内容を判別している。また、上記キーマトリクス回路３１に対するソフト制御部は、詳細を後述するようにオープンドレイン出力端子Ｃ１〜Ｃ５の走査時間を、無線機で選択された受送信周波数に応じて可変する機能を備えている。
【００２１】
また、制御ＩＣ３３におけるロータリーディップスイッチ３４に対する走査型方式のソフト制御部は、オープンドレイン出力端子Ｃ５の走査タイミングｔ５及び入力端子Ｒ１〜Ｒ４の入力情報からロータリーディップスイッチ３４の固定位置状態を把握し、チャネル選択を行う。
【００２２】
次に上記実施形態に係る入力装置のデータ取り込み動作について図２に示すタイミングチャートを参照して説明する。図２（ａ）は制御ＩＣ３３のオープンドレイン出力端子Ｃ１〜Ｃ４から出力される走査信号のタイミングを示すタイミングチャート、図２（ｂ）〜（ｄ）は制御ＩＣ３３のデータ取り込み動作を説明するためのタイミングチャートである。
【００２３】
図２（ｂ）は、ロータリーディップスイッチ３４が図４に示したコード体系の状態「１」、すなわち端子Ａがスイッチ内部でコモン端子Ｃに導通している状態で、キーマトリクス回路３１のプッシュスイッチＳ２が押されたときの制御ＩＣ３３の入力端子Ｒ１〜Ｒ５における動作タイミングチャートを示している。
【００２４】
ロータリーディップスイッチ３４が状態「１」のときにキーマトリクス回路３１のプッシュスイッチＳ２が押されると、制御ＩＣ３３の入力端子Ｒ１はｔ３のタイミングでオープンドレイン出力端子Ｃ３と共にロー（Low）レベルの状態となるので、制御ＩＣ３３はキーマトリクス回路３１の行ラインＨ１と列ラインＶ３との間に設けられているプッシュスイッチＳ２が押されたものと判別することができる。また、ロータリーディップスイッチ３４の端子Ａがコモン端子Ｃに導通している場合は、ｔ５のタイミングで制御ＩＣ３３の入力端子Ｒ１のみがローレベルの状態となるので、ロータリーディップスイッチ３４に対するソフト制御部は入力端子Ｒ１の状態を時間分割で認識することにより、ロータリーディップスイッチ３４が状態「１」にあると判別することができる。
【００２５】
また、ロータリーディップスイッチ３４が状態「２」のとき（端子Ａ、Ｅがコモン端子Ｃと導通）にキーマトリクス回路３１のプッシュスイッチＳ２が押されると、図２（ｃ）のタイミングチャートに示すようにｔ３のタイミングで制御ＩＣ３３の入力端子Ｒ１がローレベルの状態となると共に、ｔ５のタイミングで制御ＩＣ３３の入力端子Ｒ１、Ｒ２がローレベルとなる。制御ＩＣ３３は、ｔ３のタイミングで制御ＩＣ３３の入力端子Ｒ１がローレベルの状態となることにより、キーマトリクス回路３１のプッシュスイッチＳ２が押されたものと判別し、また、ｔ５のタイミングで制御ＩＣ３３の入力端子Ｒ１、Ｒ２がローレベルとなることにより、ロータリーディップスイッチ３４が状態「２」にあると判別することができる。
【００２６】
また、ロータリーディップスイッチ３４が状態「５」のとき（端子Ａ、Ｅ、Ｂがコモン端子Ｃと導通）にキーマトリクス回路３１のプッシュスイッチＳ２が押されると、図２（ｄ）のタイミングチャートに示すようにｔ３のタイミングで制御ＩＣ３３の入力端子Ｒ１がローレベルの状態となると共に、ｔ５のタイミングで制御ＩＣ３３の入力端子Ｒ１、Ｒ２、Ｒ３がローレベルとなる。制御ＩＣ３３は、ｔ３のタイミングで制御ＩＣ３３の入力端子Ｒ１がローレベルの状態となることによりキーマトリクス回路３１のプッシュスイッチＳ２が押されたものと判別し、また、ｔ５のタイミングで制御ＩＣ３３の入力端子Ｒ１、Ｒ２、Ｒ３がローレベルとなることにより、ロータリーディップスイッチ３４が状態「５」にあると判別することができる。
【００２７】
なお、上記図２（ｂ）〜（ｄ）の例では、キーマトリクス回路３１のプッシュスイッチＳ２が押された場合の動作について示したが、その他のプッシュスイッチが押された場合においても同様にして判別することができる。また、プッシュスイッチＳ１〜Ｓ２０が押されていない状態であっても、制御ＩＣ３３のオープンドレイン出力端子Ｃ５の走査タイミングｔ５及び入力端子Ｒ１〜Ｒ４の入力情報からロータリーディップスイッチ３４の状態「０」〜「１５」を判別することができる。
【００２８】
上記のように制御ＩＣ３３は、オープンドレイン出力端子Ｃ１〜Ｃ４の走査によるタイミングｔ１〜ｔ４と入力端子Ｒ１〜Ｒ５の入力情報からキーマトリクス回路３１のキー操作を判別でき、また、オープンドレイン出力端子Ｃ５の走査タイミングｔ５及び入力端子Ｒ１〜Ｒ４の入力情報からロータリーディップスイッチ３４の状態「０」〜「１５」を把握してチャネル選択を行うことができる。
【００２９】
次にキーマトリクス回路３１の行ラインＨ１〜Ｈ４とロータリーディップスイッチ３４の端子Ａ、Ｅ、Ｂ、Ｄとの間に設けたダイオードＤ１〜Ｄ４の動作について説明する。
【００３０】
図１に示したようにダイオードＤ１〜Ｄ４を設けている場合には、例えばロータリーディップスイッチ３４が状態「２」（端子Ａ、Ｅがコモン端子Ｃと導通）に設定されているときにキーマトリクス回路３１のプッシュスイッチＳ２が押されたとすると、上記図２（ｃ）のタイミングチャートに示したように制御ＩＣ３３の入力端子Ｒ１がｔ３のタイミングでロー状態となると共にｔ５のタイミングで入力端子Ｒ１、Ｒ２がロー状態となり、制御ＩＣ３３はプッシュスイッチＳ２の操作及びロータリーディップスイッチ３４の状態「２」を正常に判別することができる。
【００３１】
しかし、ダイオードＤ１〜Ｄ４がない場合は、例えばロータリーディップスイッチ３４が状態「２」に設定されているときにキーマトリクス回路３１のプッシュスイッチＳ２が押されると、ｔ３のタイミングでロータリーディップスイッチ３４の端子Ａがロー状態になると共に、端子Ａに導通している端子Ｅ及びキーマトリクス回路３１の行ラインＨ２もロー状態となる。この結果、キーマトリクス回路３１のプッシュスイッチＳ６が押されていなくても、ｔ３のタイミングで制御ＩＣ３３の入力端子Ｒ１、Ｒ２がロー状態となり、制御ＩＣ３３はプッシュスイッチＳ２、Ｓ６が押されたものと誤認識してしまう。このような制御ＩＣ３３の誤認識を防止するために、ダイオードＤ１〜Ｄ４を設け、キーマトリクス回路３１における行ラインＨ１〜Ｈ５のレベル変化が相互に影響しないようにしている。
【００３２】
本発明に係る入力装置は、上記実施形態に示したようにキーマトリクス回路部にロータリーディップスイッチ３４を組み込むと共にロータリーディップスイッチデータ取り込み方式を走査型として回路構成の簡易化を図っているが、業務用無線端末機に実施した場合、走査時間によっては無線機の性能に影響を与える可能性がある。特に走査信号の高調波成分が受信周波数と同一となる場合は、受信感度の劣化等の弊害が考えられる。このため本実施形態では、制御ＩＣ３３に設けられるソフト制御部に、オープンドレイン出力端子Ｃ１〜Ｃ５の走査時間を、無線機で選択された受送信周波数に応じて可変する機能を持たせ、無線機の性能劣化を防止している。
【００３３】
以下、無線機で選択された受送信周波数に応じて制御ＩＣ３３のオープンドレイン出力端子Ｃ１〜Ｃ５の走査時間を設定する場合の処理動作を図３に示すフローチャートを参照して説明する。
【００３４】
制御ＩＣ３３に設けられるソフト制御部は、図３のステップＡ１に示すように無線機の受送信周波数が選択されたかどうかをチェックしている。受送信周波数が選択されると、選択された受送信周波数をｆｓ、オープンドレイン出力端子Ｃ１〜Ｃ５に対する基準走査時間をＴｓ、タイマ最小設定時間をＴｎ、整数Ｎを「０」とし（ステップＡ２）、受送信周波数ｆｓを走査周波数（１／Ｔｓ）で除算して剰余Ｍを求める（ステップＡ３）。
【００３５】
次いで上記剰余Ｍが「０」であるかどうかを判定する（ステップＡ４）。すなわち、走査周波数（１／Ｔｓ）の高調波成分が受送信周波数ｆｓと同一かどうかを判定し、剰余Ｍが「０」（走査周波数（１／Ｔｓ）の高調波成分が受送信周波数ｆｓと同一）であればＮの値を「＋１」し（ステップＡ５）、「Ｔｓ＝（Ｔｓ＋Ｎ＊Ｔｎ）」の処理、すなわち走査時間Ｔｓにタイマ最小設定時間Ｔｎを加算した値を走査時間Ｔｓとして設定する（ステップＡ６）。その後、ステップＡ３に戻り、上記ステップＡ６で設定した走査時間Ｔｓを用い、受送信周波数ｆｓを走査周波数（１／Ｔｓ）で除算して剰余Ｍを求める。
【００３６】
そして、ステップＡ４で、剰余Ｍが「０」でないと判定されると、オープンドレイン出力端子Ｃ１〜Ｃ５の走査時間をＴｓに設定する（ステップＡ７）。
【００３７】
上記のようにしてオープンドレイン出力端子Ｃ１〜Ｃ５の走査時間Ｔｓを設定することにより、走査信号による走査ノイズの高調波成分が受送信周波数と同一となることを防ぎ、受信感度劣化などの弊害を防止することができる。
【００３８】
上記実施形態によれば、キーマトリクス回路部にロータリーディップスイッチ３４を組み込むと共にロータリーディップスイッチデータ取り込み方式を走査型としているので、ロータリーディップスイッチ３４のデータを取り込むための専用の入力端子を制御ＩＣ３３に設けることなく、キーマトリクスデータ取り込み用の入力端子Ｒ１、Ｒ２、…を利用してロータリーディップスイッチ３４のデータを制御ＩＣ３３に取り込むことができ、入力端子数及びノイズ対策回路の数を少なくして回路構成を簡易化でき、基板上の実装面積を減少することができる。
【００３９】
また、本実施形態では、制御ＩＣ３３に設けられるソフト制御部に、オープンドレイン出力端子Ｃ１〜Ｃ５の走査時間を、無線機で選択された受送信周波数に応じて可変する機能を持たせているので、業務用無線端末機に適用した場合においても、走査信号による走査ノイズの高調波成分が受送信周波数と同一となることを防ぎ、受信感度劣化などの弊害を防止することができる。
【００４０】
なお、上記実施形態では、ロータリーディップスイッチ３４により通信チャネルを選択する場合について示したが、その他、ロータリーディップスイッチ３４により通信チャネル及びシステムを選択する場合であっても、同様にして実施し得るものである。
【００４１】
また、本発明は、上記実施形態そのままに限定されるものではなく、実施段階ではその要旨を逸脱しない範囲で構成要素を変形して具体化できるものである。
【図面の簡単な説明】
【００４２】
【図１】本発明の一実施形態に係るロータリーディップスイッチを用いた入力装置の回路構成図である。
【図２】キーマトリクス回路のスイッチ操作及びロータリーディップスイッチの設定内容の取り込み動作を説明するためのタイミングチャートである。
【図３】同実施形態において、無線機で選択された受送信周波数に応じて制御ＩＣのオープンドレイン出力端子の走査時間を設定する場合の動作を示すフローチャートである。
【図４】ロータリーディップスイッチのコード体系例を示す図である。
【図５】従来のロータリーディップスイッチを用いた入力装置の回路構成図である。
【図６】従来のロータリーディップスイッチを用いた入力装置のキーマトリクス回路に対する走査信号を示すタイミングチャートである。
【符号の説明】
【００４３】
Ｓ１〜Ｓ２０…プッシュスイッチ、Ｒ１〜Ｒ５…制御ＩＣの入力端子、Ｃ１〜Ｃ５…制御ＩＣのオープンドレイン出力端子、Ｄ１〜Ｄ４…ダイオード、Ｈ１〜Ｈ５…キーマトリクス回路の行ライン、Ｖ１〜Ｖ４…キーマトリクス回路の列ライン、３１…キーマトリクス回路、３２…ノイズ対策回路、３３…制御ＩＣ、３４…ロータリーディップスイッチ、３５…信号ライン。
【図１】
0005005442.tif 000002
【図２】
0005005442.tif 000003
【図３】
0005005442.tif 000004
【図４】
0005005442.tif 000005
【図５】
0005005442.tif 000006
【図６】
0005005442.tif 000007